(57)【要約】      （修正有）【課題】プレゼンテーション中に参加者からのコメントを収集することができる画像投影システムにおいて、プレゼンターによる進行を妨げることなく、参加者から投稿された内容とその内容に対応するスライドを容易に判別することができる仕組みが求められている。【解決手段】プレゼンテーションサーバ１０３が、参加者の情報処理装置１０２から投稿を受け付ける際に、投稿内容のみならず当該投稿内容に対応したプレゼンテーション資料のページ番号（スライド）が何かも受け付け、さらに、投影手段が投稿内容に加えて投稿内容に対応するページ番号がいずれかであるかを識別可能に投影表示する。このように設けることで、プレゼンターは、進行を妨げられることなく、プレゼンテーション中の適当なタイミングで質問に対する回答を行ったり、コメントに対する議論を広げたり等の適切な対応を行うことが可能となる。【選択図】図５
2015148866.tif 000002
【特許請求の範囲】
【請求項１】
プレゼンテーション画面を投影面に画像を投影する画像投影手段と、参加者から投稿内容を受け付ける情報処理装置と、当該情報処理装置から前記参加者の投稿内容を受け付けるサーバ装置と、を備えた画像投影システムであって、
前記情報処理装置は、
前記参加者からの投稿内容を受け付ける受付手段と、
前記受付手段で受け付けた投稿内容に対応するプレゼンテーション資料のページ番号を特定する特定手段と、
前記特定手段で特定されたプレゼンテーション資料のページ番号と前記参加者からの投稿内容とを対応付けて前記サーバ装置に送信する送信手段と、を有し、
前記サーバ装置は、
前記送信手段で送信されたプレゼンテーション資料のページ番号と投稿内容とを受信する受信手段と、
前記画像投影手段に投影する表示を制御する表示制御手段と、を有し、
当該表示制御手段は、前記受信手段で受信した投稿内容に加え、当該投稿内容に対応するページ番号がいずれかであるかを識別可能に表示させることを特徴とする画像投影システム。
【請求項２】
前記特定手段は、前記投稿内容の入力を開始したときに前記画像投影手段によって前記投影面に投影されているプレゼンテーション資料のページ番号を、前記受付手段で受け付けた投稿内容に対応するプレゼンテーション資料のページ番号として特定することを特徴とする請求項１に記載の画像投影システム。
【請求項３】
前記投稿内容には複数の種別が設けられており、
前記送信手段は、当該複数の種別のいずれかであるかについても前記サーバ装置に送信することを特徴とする請求項１または２に記載の画像投影システム。
【請求項４】
前記情報処理装置は、
前記投稿内容の入力を行っていない場合には、前記サーバ装置の前記表示制御手段によって前記投影面に表示されている内容を画面に表示し、前記投稿内容の入力が行われている間は、当該入力を開始したときの前記サーバ装置の前記表示制御手段によって前記投影面に表示されていた内容を画面に表示し続けるように制御する制御手段を有することを特徴とする請求項１乃至３のいずれか１項に記載の画像投影システム。
【請求項５】
前記表示制御手段は、前記投稿内容が複数存在する場合に、当該複数の投稿内容を対応するページ番号順に配置し、最もページ番号の大きいページに対応する投稿内容の少なくとも１つが投影されるように表示制御することを特徴とする請求項１乃至４のいずれか１項に記載の画像投影システム。
【請求項６】
参加者から投稿内容を受け付ける情報処理装置と、当該情報処理装置から前記参加者の投稿内容を受け付けるサーバ装置と、を備えた画像投影システムの制御方法であって、
前記情報処理装置の受付手段が前記参加者からの投稿内容を受け付ける受付工程と、
前記情報処理装置の特定手段により前記受付手段で受け付けた投稿内容に対応するプレゼンテーション資料のページ番号を特定する特定工程と、
前記情報処理装置の送信手段が、前記特定工程で特定されたプレゼンテーション資料のページ番号と前記参加者からの投稿内容とを対応付けて前記サーバ装置に送信する送信工程と、
前記サーバ装置の受信手段が、前記送信手段で送信されたプレゼンテーション資料のページ番号と投稿内容とを受信する受信工程と、
前記サーバ装置の表示制御手段が、画像投影手段によって行われる投影を制御する表示制御工程と、を有し、
当該表示制御工程では、前記受信工程で受信した投稿内容に加え、当該投稿内容に対応するページ番号がいずれかであるかを識別可能に表示制御することを特徴とする制御方法。
【請求項７】
プレゼンテーション画面を投影面に画像を投影する画像投影手段と、参加者から投稿内容を受け付ける情報処理装置と、当該情報処理装置から前記参加者の投稿内容を受け付けるサーバ装置と、を備えた画像投影システムで実行できるプログラムであって、
前記情報処理装置を、
前記参加者からの投稿内容を受け付ける受付手段、
前記受付手段で受け付けた投稿内容に対応するプレゼンテーション資料のページ番号を特定する特定手段、
前記特定手段で特定されたプレゼンテーション資料のページ番号と前記参加者からの投稿内容とを対応付けて前記サーバ装置に送信する送信手段、として機能させ、
前記サーバ装置を、
前記送信手段で送信されたプレゼンテーション資料のページ番号と投稿内容とを受信する受信手段、
前記画像投影手段に投影する表示を制御する表示制御手段、として機能させ、
前記表示制御手段として機能させる際には、前記受信手段で受信した投稿内容に加え、当該投稿内容に対応するページ番号がいずれかであるかを識別可能に表示するように機能させることを特徴とするプログラム。
【発明の詳細な説明】
【技術分野】
【０００１】
本発明は、画像投影システム、その制御方法、およびそのプログラムに関する。
【背景技術】
【０００２】
プロジェクタ等の画像投影機器を用いて行われるプレゼンテーションでは、プレゼンターの発言や進行の妨げにならないように、受講者（参加者）からの質疑応答はプレゼンテーション後に行われることが多い。
【０００３】
しかしながら、このような場合には受講者は発表内容により生じた疑問等を質疑応答時間まで記憶または記録しておかなければならず、煩雑である。さらに質問以外のコメントや意見については、プレゼン画面が表示されているときに発言することができないと、有用なアイディアを誰にも伝えることができず機会が失われてしまう可能性がある。
【０００４】
このような状態を防止するために、プレゼンテーション中に議事進行を妨げることなく質問やコメントを投稿参加者から収集できる仕組みが求められている。
【０００５】
特許文献１には、プレゼンテーション中に、参加者の質問や意見を収集し表示できるプレゼンテーションシステムが開示されており、具体的には、プレゼンテーション中に、受講者から投稿されて内容を投影画像の空白位置に表示することが開示されている。
【先行技術文献】
【特許文献】
【０００６】
【特許文献１】特開２０１２−１１８２０９号公報
【発明の概要】
【発明が解決しようとする課題】
【０００７】
しかしながら、特許文献１には、参加者によって投稿された意見や質問が、何ページ目のプレゼンテーション資料（スライド）に対応するかを判断することができない。そのため、質問の投稿作業が完了する前に、投影されているプレゼンテーション資料のページが進んでしまった場合や、頁をさかのぼって質問したくなった場合には、プレゼンターや他の参加者には、投稿された内容がどのスライドに対応するか判別できず、適切な対応がなされないことが懸念される。
【０００８】
そこで、本願発明は上記課題を鑑みてなされたものであり、プレゼンテーション中に参加者からのコメントを収集することができる画像投影システムにおいて、プレゼンターによる進行を妨げることなく、参加者から投稿された内容とその内容に対応するスライドを容易に判別することができる仕組みを提供することを目的としている。
【課題を解決するための手段】
【０００９】
本願発明の目的を達成するために、本願発明の画像投影システムは、プレゼンテーション画面を投影面に画像を投影する画像投影手段と、参加者が投稿内容を生成する情報処理装置と、当該情報処理装置から前記参加者の投稿内容を受け付けるサーバ装置と、を備えた画像投影システムであって、前記情報処理装置は、前記参加者からの投稿内容を受け付ける受付手段と、前記受付手段で受け付けた投稿内容に対応するプレゼンテーション資料のページ番号を特定する特定手段と、前記特定手段で特定されたプレゼンテーション資料のページ番号と前記参加者からの投稿内容とを対応付けて前記サーバ装置に送信する送信手段と、を有し、前記サーバ装置は、前記送信手段で送信されたプレゼンテーション資料のページ番号と投稿内容とを受信する受信手段と、前記画像投影手段に投影する表示を制御する表示制御手段と、を有し、当該表示制御手段は、前記受信手段で受信した投稿内容に加え、当該投稿内容に対応するページ番号がいずれかであるかを識別可能に表示させることを特徴としている。
【発明の効果】
【００１０】
以上のように設けることにより、参加者から投稿された内容とその内容に対応するスライドを容易に判別することができる。これによりプレゼンターは、進行を妨げられることなく、プレゼンテーション中の適当なタイミングで質問に対する回答を行ったり、コメントに対する議論を広げたり等の適切な対応を行うことが可能となる。
【図面の簡単な説明】
【００１１】
【図１】画像投影システムのシステム構成の一例を示す図である。
【図２】プレゼンター用の情報処理装置１０１と参加者用の情報処理装置１０２のハードウェア構成の一例を示す図である。
【図３】プレゼンテーションサーバ装置１０２のハードウェア構成の一例を示す図である。
【図４】参加者用の情報処理装置１０２に質疑応答画面表示を表示する際の処理の流れを示すフローチャートである。
【図５】参加者用の情報処理装置１０２からプレゼンテーションのスライドに対して投稿を行う際の処理の流れを示すフローチャートである。
【図６】参加者が質問・意見・コメント等を投稿する際の画面の一例である。
【図７】プレゼンテーション画面の一例である。
【図８】プレゼンテーション画面の一例である。
【発明を実施するための形態】
【００１２】
以下、図面を参照して、本発明の実施形態を詳細に説明する。
【００１３】
図１は、本実施形態における画像投影システムのシステム構成を示す図である。
【００１４】
図１に示すように本願発明に係る画像投影システムでは、プレゼンター用の情報処理装置１０１と参加者用の情報処理装置１０２とプロジェクタ等の画像投影手段１０４に画像投影を指示するプレゼンテーションサーバ１０３（以下、サーバ装置とも称する）とがＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等のネットワーク１０５を介して相互にデータ通信可能に接続されている。図１のネットワーク１０５上に接続される各種端末あるいはサーバの構成は一例であり、用途や目的に応じて様々な構成例があることは言うまでもない。
【００１５】
プレゼンターは、プレゼンター用の情報処理装置１０１を用い、プレゼンテーション用の資料を、ネットワークを介してプレゼンテーションサーバ１０３に送り、画像投影手段から投影することで、会議等の参加者に対してプレゼンテーションを行うことができる。すなわち、プレゼンター用の情報処理装置１０１は、ネットワーク１０５を介してプレゼンテーションサーバ１０３に対してプレゼンテーション用の資料を送信することができる。
【００１６】
このような会議等の参加者は、参加者用の情報処理装置１０２からプレゼンテーションサーバ１０３に対して、プレゼンターのプレゼンテーション中に質問・意見・コメント等を投稿することで、プレゼンテーション中にプレゼンターに質問・意見・コメント等を伝えることができる。すなわち、参加者用の情報処理装置１０２は、参加者から投稿内容を受付け、ネットワーク１０５を介してプレゼンテーションサーバ１０３に対して質問・意見・コメント等の投稿を行うことができる。
【００１７】
このような画像投影システムにおいては、参加者の情報処理装置１０２は複数端末設けることもでき、質問・意見・コメント等の投稿はこれらの複数の情報処理装置１０２それぞれから同時に受信することが可能である。
【００１８】
プロジェクタ等の画像投影手段１０４は、プレゼンテーションサーバ１０３からの投影指示（信号）に基づいてスクリーンや壁面等に画像を投影することができる。なお、本実施形態においてはプレゼンテーションサーバ１０３と画像投影手段１０４とが別々に設けられている例を示しているが、これらを一体に設けることもできる。
【００１９】
図２は、プレゼンター用の情報処理装置１０１と参加者用の情報処理装置１０２のハードウェア構成の一例を示す図である。
【００２０】
ＣＰＵ２０１は、システムバス２０４に接続される各デバイスやコントローラを統括的に制御する。
【００２１】
また、ＲＯＭ２０２あるいは外部メモリ２１１（記憶手段）には、ＣＰＵ２０１の制御プログラムであるＢＩＯＳ（Ｂａｓｉｃ  Ｉｎｐｕｔ／ＯｕｔｐｕｔＳｙｓｔｅｍ）やオペレーティングシステムプログラム（以下、ＯＳ）や、プレゼンター用の情報処理装置１０１と参加者用の情報処理装置１０２の実行する機能を実現するために必要な後述する各種プログラム等が記憶されている。ＲＡＭ２０３は、ＣＰＵ２０１の主メモリ、ワークエリア等として機能する。
【００２２】
ＣＰＵ２０１は、処理の実行に際して必要なプログラム等をＲＡＭ２０３にロードして、プログラムを実行することで各種動作を実現するものである。
【００２３】
また、入力コントローラ（入力Ｃ）２０５は、キーボードや不図示のマウス等のポインティングデバイス等の入力デバイス２０９からの入力を制御する。
【００２４】
ビデオコントローラ（ＶＣ）２０６は、ディスプレイ２１０等の表示器への表示を制御する。表示器の種類はＣＲＴや、液晶ディスプレイを想定するが、これに限らない。
【００２５】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフレキシブルディスク（ＦＤ）或いはＰＣＭＣＩＡカードスロットにアダプタを介して接続されるカード型メモリ等の外部メモリ２１１へのアクセスを制御する。
【００２６】
通信Ｉ／Ｆコントローラ（通信Ｉ／ＦＣ）２０８は、ネットワークを介して、外部機器と接続・通信するものであり、ネットワークでの通信制御処理を実行する。
【００２７】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。
【００２８】
本発明のプレゼンター用の情報処理装置１０１と参加者用の情報処理装置１０２が後述する各種処理を実行するために用いられる各種プログラム等は外部メモリ２１１に記録されており、必要に応じてＲＡＭ２０３にロードされることによりＣＰＵ２０１によって実行されるものである。
【００２９】
図３は、プレゼンテーションサーバ１０３のハードウェア構成の一例を示す図である。
【００３０】
ＣＰＵ３０１は、システムバス３０４に接続される各デバイスやコントローラを統括的に制御する。
【００３１】
また、ＲＯＭ３０２あるいは外部メモリ３１１（記憶手段）には、ＣＰＵ３０１の制御プログラムであるＢＩＯＳ（Ｂａｓｉｃ  Ｉｎｐｕｔ／ＯｕｔｐｕｔＳｙｓｔｅｍ）やオペレーティングシステムプログラム（以下、ＯＳ）や、プレゼンテーションサーバの実行する機能を実現するために必要な後述する各種プログラム等が記憶されている。ＲＡＭ３０３は、ＣＰＵ３０１の主メモリ、ワークエリア等として機能する。
【００３２】
ＣＰＵ３０１は、処理の実行に際して必要なプログラム等をＲＡＭ３０３にロードして、プログラムを実行することで各種動作を実現するものである。
【００３３】
また、入力コントローラ（入力Ｃ）３０５は、キーボードや不図示のマウス等のポインティングデバイス等の入力デバイス３０９からの入力を制御する。
【００３４】
メモリコントローラ（ＭＣ）３０７は、ブートプログラム、ブラウザソフトウエア、各種のアプリケーション、フォントデータ、ユーザファイル、編集ファイル、各種データ等を記憶するハードディスク（ＨＤ）やフレキシブルディスク（ＦＤ）或いはＰＣＭＣＩＡカードスロットにアダプタを介して接続されるカード型メモリ等の外部メモリ３１１へのアクセスを制御する。
【００３５】
通信Ｉ／Ｆコントローラ（通信Ｉ／ＦＣ）３０８は、ネットワークを介して、外部機器と接続・通信するものであり、ネットワークでの通信制御処理を実行する。
【００３６】
出力コントローラ３１２は、プロジェクタ等の画像投影手段１０４の投影部３１２の投影を制御する。
【００３７】
本発明のプレゼンテーションサーバ１０３が後述する各種処理を実行するために用いられる各種プログラム等は外部メモリ３１１に記録されており、必要に応じてＲＡＭ３０３にロードされることによりＣＰＵ３０１によって実行されるものである。
【００３８】
プロジェクタ等の画像投影機器を用いて行われるプレゼンテーションでは、プレゼンターの発言や進行の妨げにならないように、受講者（参加者）からの質疑応答はプレゼンテーション後に行われることが多い。
【００３９】
しかしながら、このような場合には受講者は発表内容により生じた疑問等を質疑応答時間まで記憶または記録しておかなければならず、参加者にとっては煩雑な作業となってしまう可能性がある。さらに質問以外のコメントや意見については、プレゼン画面が表示されているときに発言することができないと、有用なアイディアを誰にも伝えることができず機会が失われてしまう可能性がある。
【００４０】
そのため、質問・コメント・意見等の投稿をプレゼンテーション中に、収集して表示できるプレゼンテーションシステムが求められている。さらに、プレゼンターや他の参加者にも参加者がどの内容に対して投稿したのか共有できるように、プレゼンテーションのどのページに対応するものか識別可能に表示されることが求められている。
【００４１】
このような、参加者から投稿された内容とその内容に対応するスライドを容易に判別できるように、本実施形態の画像投影システムにおいては、プレゼンテーションサーバ１０３が、参加者の情報処理装置１０２から投稿を受け付ける際に、投稿内容のみならず当該投稿内容に対応したプレゼンテーション資料のページ番号（スライド）が何かも受け付けている。
【００４２】
以下、このような質問・コメント・意見等の投稿についてフローチャートや投稿画面例を用いて説明する。
【００４３】
図４は、参加者用の情報処理装置１０２に質疑応答画面表示を表示する際の処理の流れを示すフローチャートである。このフローチャートに示す処理は、プレゼンテーションサーバ１０３のＣＰＵ３０１および情報処理装置１０２のＣＰＵ２０１のそれぞれが記憶されている制御プログラムを読み出して実行することにより実現される。
【００４４】
Ｓ４０１では、プレゼンテーションサーバ１０３のＣＰＵ３０１が、ユーザからのプレゼンテーション開始の指示を受け付けたかどうかを判断する。具体的には、プレゼンターの情報処理装置１０１からプレゼンテーションサーバ１０３がプレゼンテーション資料を受信し投影指示がされた場合や、プレゼンテーションサーバの入力デバイス２０９を介して開始指示がユーザから出された場合などに指示を受け付けたと判断することができる。プレゼンテーション開始の指示を受けた場合には、Ｓ４０２で、プレゼンテーションサーバ１０３のＣＰＵ３０１は、プレゼンテーション画面がスクリーンや壁面などの投影面に投影されるように投影部３１２を制御する。
【００４５】
次にＳ４０３では、プレゼンテーションサーバ１０３のＣＰＵ３０１は、投影面に投影しているプレゼンテーション画面を含む質疑入力画面の表示指示を、参加者用の情報処理装置１０２に対して送信する。なお、このようなプレゼンテーション画面の各情報処理装置１０２への送信制御は、投影面への投影画面と対応していればよく、Ｓ４０２と同時またはＳ４０２より前に行ってもよい。
【００４６】
Ｓ４０４では、参加者用の情報処理装置１０２のＣＰＵ３０１は、プレゼンテーション画面を含む質疑入力画面の表示指示を受信し、Ｓ４０５においてディスプレイ２１０に表示するように表示制御を行う。
【００４７】
なお、このようなプレゼンテーションサーバ１０３と情報処理装置１０２との間の画面の送受信の処理は、プレゼンテーション画面が切り替わるごとに行われている。このように画面が連動されるように処理することで、参加者は自己の情報処理装置１０２のディスプレイ２１０を見たままプレゼンを朝貢することができる。
【００４８】
このとき表示される質疑入力画面の一例を図６（ａ）に示す。図６（ａ）に示す質疑入力画面６０１は、参加者用の情報処理装置１０２のディスプレイ２１０に表示される画面である。質疑入力画面６０１には、投影面に投影されているプレゼンテーション画面と同じ画面６０２と、投稿内容が質問・意見・コメントのいずれであるかを選択する選択欄６０３と、スライド表示欄６０４と、投稿内容の入力欄６０５（テキストボックスとも称する）と、登録ボタン６０６が設けられている。このような質疑入力画面を用いて会議の参加者は投稿を行うことができる。図６（ａ）は、『スライド７』に対して『Ａについての根拠は何か』という『質問』を行おうとしている例を示している。なお、本実施形態においては投稿内容が、質問・意見・コメントの３種別の例を用いて説明しているが、これ以外にさらに設けられていてもよい。
【００４９】
図５は、参加者用の情報処理装置１０２からプレゼンテーションのスライドに対して質疑応答等の投稿を行う際の処理の流れを示すフローチャートである。このフローチャートに示す処理は、プレゼンテーションサーバ１０３のＣＰＵ３０１および情報処理装置１０２のＣＰＵ２０１のそれぞれが記憶されている制御プログラムを読み出して実行することにより実現される。
【００５０】
Ｓ５０１では、参加者用の情報処理装置１０２のＣＰＵ２０１は、図６の質疑入力画面６０１の入力欄６０５への入力が開始されたかを判断する。具体的には、ユーザがキーボード等の入力デバイス２０９を用いてテキストボックスへ文字などの入力を開始したことをもって、入力欄６０５への入力が開始されたと判断する。
【００５１】
Ｓ５０２では、参加者（ユーザ）によって入力欄６０５への入力が開始されたときに、画面６０２に表示されているスライド（プレゼンテーション資料）のスライド番号（ページ番号）を取得する。投影面の画像と画像６０２は連動した画面となっているため、入力が開始したときに投影面に投影されているスライドのスライド番号を取得することになる。すなわち、投影面に投影されているプレゼンテーション資料のページ番号が、投稿内容に対応するプレゼンテーション資料のページ番号として特定されることになる。
【００５２】
なお、入力が開始されたと判断されたのちは、入力動作が完了するまで質疑入力画面６０１の画面６０１に入力が開始されたタイミングに表示されていた画像を継続して表示させておくことが好ましい。このようにすることで、参加者が質問・コメント・意見等を入力欄６０５に入力しているときに、投稿しようとするきっかけとなったスライドを見ながら入力動作を行うことができる。すなわち、ユーザによって入力動作が行われていないときは、投影面と画面６０２とは連動したスライドが表示されており、ユーザによって入力動作が行われている間は、入力動作を開始した時の投影面のスライドが表示され続けていることになる。
【００５３】
Ｓ５０３では、図６（ａ）に示す登録ボタン６０６が押下されたかを判断する。ユーザによって登録ボタン６０６が押下された場合には、選択欄６０２、スライド表示欄６０４、入力欄６０５に入力された内容で投稿してもよいか確認する確認画面６０６の表示を行う（Ｓ５０４）。このような確認画面６０６の一例を図６（ｂ）に示す。なお、図６（ｂ）に示す確認画面６０６にスライド番号の変更ボタンを設けて、投稿する先のスライド番号を変更できるように設けてもよい。
【００５４】
次に、Ｓ５０５では、参加者用の情報処理装置１０２のＣＰＵ２０１は、確認画面６０６のＯＫボタン６０７が押下されたかを判断する。参加者によってＯＫボタン６０７が押下されたと判断された場合には、Ｓ５０６に進み、スライド番号とこのスライド番号に対応付いた選択項目と入力内容とをプレゼンテーションサーバ１０３に送信する。一方、キャンセルボタン６０７が押下された場合には、質疑入力画面６０１に戻り選択欄６０３の選択や入力欄６０５への入力が行えるように、Ｓ５０３の前まで戻る。このとき対応するスライド番号を変更できるようにしてもよい。
【００５５】
Ｓ５０７では、プレゼンテーションサーバ１０３のＣＰＵ３０１は、参加者用の情報処理装置１０２から受信したスライド番号と、このスライド番号に対応した選択項目と入力内容とを受信する。
【００５６】
Ｓ５０８では、プレゼンテーションサーバ１０３のＣＰＵ３０１は、スライド番号に紐づくように、選択項目と入力内容とを例えば外部メモリ３１１等の記憶手段に保存する。
【００５７】
Ｓ５０９ではプレゼンテーションサーバ１０３のＣＰＵ３０１は、投影面への投影画像を、投稿内容を反映したものに更新する。
【００５８】
図７は、プロジェクタ１０４の投影部３１２によって投影される投影画像の一例を示したものである。図７（ａ）は、参加者からの投稿がまだされていない状態を示している。図７（ｂ）は、参加者からの投稿がなされ、投影面への投影画像が投稿内容を反映した後のものである。
【００５９】
図７に示すプレゼンテーション画面７０１は、投影部３１２によって投影される画面領域を示したものであり、スライド投影領域７０２は、プレゼンテーション資料が投影される領域である。さらに、スライド投影領域７０２の下側には、重なりあうように質問領域７０３とコメント領域７０４と意見領域７０５等の投稿の選択種別ごとのフレームが設けられている。図７（ｂ）からわかるように、各フレームには、選択種別が何であるかに加え、少なくとも１つの投稿内容とその投稿内容に対応するスライド番号が識別可能に表示されている。
【００６０】
新たな投稿がなされると、各フレームに上からページ番号順に追加されていく。すなわち、新しい投稿がされると古い投稿は下側にスライドするため順次隠れて見えなくなる。このようにすることで、リアルタイムに投稿された内容をプレゼンテーション中に確認することができる。
【００６１】
以上のように設けることにより、プレゼンテーション時に投稿がされると各フレームに投稿内容が少なくとも１つ表示されるため、プレゼンターは、進行を妨げられることなく、プレゼンテーション中の適当なタイミングで質問に対する回答を行ったり、コメントに対する議論を広げたり等の適切な対応を行うことが可能となる。
【００６２】
また、プレゼンテーション後のみならずプレゼンテーション中にも、プレゼンターが各フレームの投稿内容の全てを確認できるように設けてもよい。図８（ａ）は、『質問』のフレームを選択された際の様子を示しており、図８（ｂ）は、『コメント』のフレームが選択された際の様子を示している。ここからわかるように、各フレーム内に投稿内容が複数存在する場合には、スライド番号が大きい順に並んだ配置となるように保存されている。図７に示すように投稿内容が１つしか表示されていない場合もこのように並んで保存されている。このように投稿内容をフレームごとに整理しておくことにより、プレゼンテーション後において投稿内容の確認なども容易に行うこともできる。
【００６３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００６４】
なお、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【００６５】
したがって、本発明の機能処理を情報処理装置で実現するために、前記情報処理装置にインストールされるプログラムコード自体も本発明を実現するものである。つまり、本発明は、本発明の機能処理を実現するためのコンピュータプログラム自体も含まれる。
【００６６】
その場合、プログラムの機能を有していれば、オブジェクトコード、インタプリタにより実行されるプログラム、ＯＳに供給するスクリプトデータ等の形態であってもよい。
【００６７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００６８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００６９】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【００７０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【００７１】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【００７２】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００７３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００７４】
１０１  プレゼンター用の情報処理装置
１０２  参加者用の情報処理装置
１０３  プレゼンテーションサーバ
１０４  画像投影手段
【図１】
2015148866.tif 000003
【図２】
2015148866.tif 000004
【図３】
2015148866.tif 000005
【図４】
2015148866.tif 000006
【図５】
2015148866.tif 000007
【図６】
2015148866.tif 000008
【図７】
2015148866.tif 000009
【図８】
2015148866.tif 000010